(57)【要約】【課題】  ルーフウエザストリップの接合部分から水を排出して、ルーフウエザストリップが折畳まれるときに、その接合部分から水が落下しないものを得ることである。【解決手段】  コンバーチブルカーに使用される、可動ルーフ１０の側部とドアガラスとの間をシールするルーフウエザストリップにおいて、分割されたルーフウエザストリップの長手方向の端部の中空状のドアガラスシール部２４は、それぞれドアガラスシール部の中空部を塞ぐドアガラスシール部端面３３を形成し、それぞれのドアガラスシール部端面における装着状態での上記中空部の最下方位置に水抜き孔３８を設け、水抜き孔は、長手方向のルーフウエザストリップ端部が互いに当接して連続した一連のルーフウエザストリップ２０を形成したときに、ルーフウエザストリップ前端から後端まで連続する一連の排水路を形成することを特徴とするコンバーチブルカー用のルーフウエザストリップである。【選択図】        図１
2005206094.tif 000002
【特許請求の範囲】
【請求項１】
コンバーチブルカーに使用される、折畳んで車体に収納可能な可動ルーフの側部とドアガラスとの間をシールするルーフウエザストリップにおいて、
該ルーフウエザストリップは、上記可動ルーフの折畳みに対応して複数に分割され、上記可動ルーフの幌骨に取付けられ、
分割された上記ルーフウエザストリップは、上記可動ルーフが展開して車体の天井を形成したときに、その長手方向のルーフウエザストリップ端部が互いに当接して連続した一連の可動ルーフ側部をシールするルーフウエザストリップを形成し、
上記ルーフウエザストリップは、上記可動ルーフの幌骨に固定されたリテーナーに取付けられる取付基部と、該取付基部に一体的に設けられてドアガラスと当接する中空状のドアガラスシール部と、該ドアガラスシール部の側部に上記可動ルーフの側端と当接する可動ルーフシール部を一体に形成し、
上記分割された上記ルーフウエザストリップの長手方向の端部の上記中空状のドアガラスシール部は、それぞれ該ドアガラスシール部の中空部を塞ぐドアガラスシール部端面を形成し、上記可動ルーフが展開して車体の天井を形成したときに、それぞれのドアガラスシール部端面における上記中空部の最下方位置に水抜き孔を設け、該水抜き孔は、長手方向の上記ルーフウエザストリップ前部が互いに当接して連続した一連の可動ルーフ側部をシールする上記ルーフウエザストリップを形成したときに、上記ルーフウエザストリップ前端から後端まで連続する一連の排水路を形成することを特徴とするコンバーチブルカー用のルーフウエザストリップ。
【請求項２】
上記ドアガラスシール部端面の外周には、長手方向の上記ルーフウエザストリップ端部が互いに当接して連続したときに、互いに嵌合するドアガラスシール部端面凸条を設けた請求項１に記載のコンバーチブルカー用のルーフウエザストリップ。
【請求項３】
上記ルーフウエザストリップは、中央部は押出成形で成形され、長手方向の両方の端部は型成形で形成された請求項１又は請求項２に記載のコンバーチブルカー用のルーフウエザストリップ。
【請求項４】
上記ルーフウエザストリップの中央部では、上記ドアガラスシール部に一体的に形成される中空状の可動ルーフシール部基部と該可動ルーフシール部基部から延設され可動ルーフに当接される２本の可動ルーフシールリップを有し、上記ルーフウエザストリップの両方の端部の上記可動ルーフシールリップは、先端が連結された中空状の可動ルーフシール部となり、可動ルーフシール部の端面は、中空部が塞がれた可動ルーフシール部端面を有する請求項１乃至請求項３のいずれかに記載のコンバーチブルカー用のルーフウエザストリップ。
【請求項５】
上記ルーフウエザストリップの両方の端部の取付基部は、インサートが埋設され、該インサートの孔と幌骨の取付孔をクリップの脚部が嵌挿してルーフウエザストリップ端部が幌骨に取付けられる請求項１乃至請求項４のいずれかに記載のコンバーチブルカー用のルーフウエザストリップ。
【発明の詳細な説明】
【技術分野】
【０００１】
本発明は、自動車のルーフが折畳まれて車体に収納可能な可動ルーフを有するコンバーチブルカー用のルーフウエザストリップに関するものであり、さらに詳しくは、そのコンバーチブルカーの可動ルーフの側部とドアガラスの間をシールするルーフウエザストリップに関するものである。
【背景技術】
【０００２】
自動車のルーフが折畳まれて車体に収納可能な可動ルーフを有するコンバーチブルカーにおいて、可動ルーフが展開して、車体の天井部分まで移動して自動車のルーフを形成したときに、その可動ルーフの側部とドアガラスの間をシールすることが必要である。そのため、可動ルーフの側部に設けられた幌骨（金属フレーム）にルーフウエザストリップが取付けられている。そのルーフウエザストリップは、可動ルーフと幌骨が折畳まれるため、その折畳みに併せて分割されて取付けられている（例えば、特許文献１参照）。
【０００３】
この場合に、図６に示すように、ルーフウエザストリップ１２０は、ドアガラス３との間をシールするドアガラスシール部１２４と可動ルーフ１０との間をシールする可動ルーフシール部１２５を有している。このドアガラスシール部１２４と可動ルーフシール部１２５はそれぞれ別体で形成されている。
ドアガラスシール部１２４は、中空状のシール部がドアガラス３の先端と当接してシールするとともに、取付基部１２１が可動ルーフ１０の幌骨１６に取付けられたリテーナー１４に嵌め込まれて、固定される。
【０００４】
可動ルーフシール部１２５は、同様にその取付基部１２６が幌骨１６又はリテーナー１４の先端に取付けられ、可動ルーフシールリップ１２７が可動ルーフ１０の側部の先端部の内面に当接してシールしている（例えば、特許文献２参照）。
【０００５】
そして、可動ルーフ１０の側部のルーフウエザストリップ１２０は、可動ルーフ１０のルーフ幌１３と幌骨１６が折畳まれるため、その折畳みに併せて分割されて形成されており、可動ルーフ１０が展開して車体の天井を形成したときに、それぞれの先端同士が接合して可動ルーフ１０の側端をシールする一連のルーフウエザストリップ１２０となる。そのとき、分割されたルーフウエザストリップ１２０は、その接合部分のシールを確実にするため、先端同士に設けた凸条を嵌合させている。
【０００６】
一方、分割されたルーフウエザストリップ１２０の端部１３１は、雨水、埃や騒音の浸入を防止するために、中空状のドアガラスシール部１２４の端面を膜で塞いでいる。このときルーフウエザストリップ１２０の端部同士に設けた凸条を嵌合させるため、分割されたルーフウエザストリップの端部１３１の端面の間、即ち、端面に設けられた膜同士の間には空間が存在する。この空間には、雨水や洗車時の水がルーフウエザストリップ１２０の接合部から進入する。
そして、可動ルーフ１０を閉じて、車体の後部に収納するときに、ルーフウエザストリップ１２０も折畳まれて収納される。このとき、ルーフウエザストリップの端部１３１の端面の膜同士の間の空間に溜まった水が、車室内に落下する場合があった。
【０００７】
このような車室内への水の落下を防止するために、図７に示すように、ルーフウエザストリップ１２０の端部１３１の中空状ドアガラスシール部１２４に溝１３２を設けるものもある（例えば、特許文献３参照）。しかしながら、この溝１３２では、中空状ドアガラスシール部１２４内、及び接合部に水が残る場合がある。また、接合部の溝１３２をズレなく合体させることが難しく、さらに、この溝の位置では、中空状のドアガラスシール部１２４内に侵入した雨水や埃については、中空内から排出できない。
【特許文献１】実開平７−２４６１４号公報（第１図）
【特許文献２】特開平１１−１２９７６６号公報（第３−４頁、第５図）
【特許文献３】特開平７−２３２５５７号公報（第２−３頁、第６図）
【発明の開示】
【発明が解決しようとする課題】
【０００８】
このため、可動ルーフ１０が展開し、それぞれ分割して形成されたルーフウエザストリップ１２０の先端同士が接合したときに、ルーフウエザストリップの接合部分から水等を車両下方に排出して、ルーフウエザストリップが折畳まれるときに、その接合部分から水が落下しないようにすることが必要とされている。
【課題を解決するための手段】
【０００９】
上記課題を解決するために請求項１の本発明は、コンバーチブルカーに使用される、折畳んで車体に収納可能な可動ルーフの側部とドアガラスとの間をシールするルーフウエザストリップにおいて、ルーフウエザストリップは、可動ルーフの折畳みに対応して複数に分割され、可動ルーフの幌骨に取付けられ、分割されたルーフウエザストリップは、可動ルーフが展開して車体の天井を形成したときに、その長手方向のルーフウエザストリップ端部が互いに当接して連続した一連の可動ルーフ側部をシールするルーフウエザストリップを形成し、ルーフウエザストリップは、可動ルーフの幌骨に固定されたリテーナーに取付けられる取付基部と、該取付基部に一体的に設けられてドアガラスと当接する中空状のドアガラスシール部と、ドアガラスシール部の側部に上記可動ルーフの側端と当接する可動ルーフシール部を一体に形成し、
分割されたルーフウエザストリップの長手方向の端部の中空状のドアガラスシール部は、それぞれドアガラスシール部の中空部を塞ぐドアガラスシール部端面を形成し、可動ルーフが展開して車体の天井を形成したときに、それぞれのドアガラスシール部端面における中空部の最下方位置に水抜き孔を設け、水抜き孔は、長手方向の上記ルーフウエザストリップ端部が互いに当接して連続した一連の可動ルーフ側部をシールするルーフウエザストリップを形成したときに、ルーフウエザストリップ前端から後端まで連続する一連の排水路を形成することを特徴とするコンバーチブルカー用のルーフウエザストリップである。
【００１０】
請求項１の本発明では、ルーフウエザストリップは、可動ルーフの折畳みに対応して複数に分割され、可動ルーフの幌骨に取付けられ、分割されたルーフウエザストリップは、可動ルーフが展開して車体の天井を形成したときに、その長手方向の端部が互いに当接して連続した一連の可動ルーフ側部をシールするルーフウエザストリップを形成するため、ルーフ幌と幌骨を折畳んで車体に収納するときにルーフウエザストリップも一緒に収納することができる。可動ルーフが展開して車体の天井を形成したときに、可動ルーフの側部を１本の連続したルーフウエザストリップでシールすることができる。
【００１１】
ルーフウエザストリップは、可動ルーフの幌骨に固定されたリテーナーに取付けられる取付基部と、取付基部に一体的に設けられ、ドアガラスと当接する中空状のドアガラスシール部と、ドアガラスシール部の側部に可動ルーフの側端と当接する可動ルーフシール部を一体に形成したため、取付基部をリテーナーに取付けることにより、ドアガラスシール部と可動ルーフシール部を同時に取付けることができ、取付作業の効率がよい。また、ドアガラスシール部の側部に可動ルーフの側端と当接する可動ルーフシール部を一体に同時に押出成形により形成することができ、製造も容易である。
可動ルーフが展開して、車体の天井を形成したときに、可動ルーフシール部の先端が可動ルーフのルーフ幌の側部の先端部の内面に当接してシールすることができる。このため、可動ルーフとルーフウエザストリップとの間をシールすることができる。また、ドアガラスが上昇して閉まったときに、ドアガラスとルーフウエザストリップとの間をシールすることができるため、ドアガラスシール部と可動ルーフシール部で可動ルーフとドアガラスの間をシールすることができる。
【００１２】
分割されたルーフウエザストリップの長手方向の端部のドアガラスシール部は、それぞれ中空状のドアガラスシール部を塞ぐドアガラスシール部端面を形成するため、端面を形成する膜によって、中空状のドアガラスシール部に雨水、洗車水、埃や騒音が大量に侵入することを防止できる。
可動ルーフが展開して車体の天井を形成したときに、それぞれのドアガラスシール部端面において、上記中空の最下方位置に水抜き孔を設けたため、可動ルーフが展開して車体の天井を形成して分割して形成されたルーフウエザストリップの端部が互いに接合して一連のルーフウエザストリップを形成したときにできる接合部分の膜で形成される空間から、雨水や洗車水等を水抜き孔、中空部を介して排出することができる。
【００１３】
水抜き孔は、長手方向の上記ルーフウエザストリップ端部が互いに当接して連続した一連の可動ルーフ側部をシールするルーフウエザストリップを形成したときに、ルーフウエザストリップ前端から後端まで連続する一連の排水路を形成するため、ルーフウエザストリップの端部が互いに接合してできるそれぞれの接合部分の空間から排出された雨水や洗車水等を、ルーフウエザストリップ前端から後端まで連続する一連の排水路を通り、ルーフウエザストリップのフロント側の前端またはリヤ側の後端まで導き、車外（車両下方）に排出することができる。このため、可動ルーフを折畳むときに、ルーフウエザストリップから水が車室内に落下することがない。
【００１４】
請求項２の本発明は、ドアガラスシール部端面の外周には、長手方向のルーフウエザストリップ端部が互いに当接して連続したときに、互いに嵌合するドアガラスシール部端面凸条を設けたコンバーチブルカー用のルーフウエザストリップである。
【００１５】
請求項２の本発明では、ドアガラスシール部端面の外周には、長手方向のルーフウエザストリップ端部が互いに当接して連続したときに、互いに嵌合するドアガラスシール部端面凸条を設けたため、可動ルーフが展開して車体の天井を形成して分割して形成されたルーフウエザストリップの端部が互いに接合して一連のルーフウエザストリップを形成したときに、長手方向のルーフウエザストリップ端部に設けた端面凸条が相互に接合して嵌め合うことによりシールすることができ、ルーフウエザストリップ端部の接合部分から水が落下することがない。
また、ドアガラスシール部端面凸条が互いに嵌合するため、隣接する分割されたルーフウエザストリップの接合がずれることがない。
【００１６】
請求項３の本発明は、ルーフウエザストリップは、中央部は押出成形で成形され、長手方向の両方の端部は型成形で形成されたコンバーチブルカー用のルーフウエザストリップである。
【００１７】
請求項３の本発明は、ルーフウエザストリップは、中央部は押出成形で成形され、長手方向の両方の端部は型成形で形成されたため、ルーフウエザストリップ全体を型成形で形成する場合に比べて、端部の型成形部分を小さくすることができる。そのため、成形金型を小さくすることができ、また、金型構造を単純にすることができ、金型コストを低減できるとともに、型成形の速度を早くすることができ、製造コストを低減できる。
【００１８】
請求項４の本発明は、ルーフウエザストリップの中央部では、ドアガラスシール部に一体的に形成される中空状の可動ルーフシール部基部と可動ルーフシール部基部から延設され可動ルーフに当接される２本の可動ルーフシールリップを有し、ルーフウエザストリップの両方の端部の可動ルーフシールリップは、先端が連結された中空状の可動ルーフシール部となり、可動ルーフシール部の端面は、中空部が塞がれた可動ルーフシール部端面を有するコンバーチブルカー用のルーフウエザストリップである。
【００１９】
請求項４の本発明は、可動ルーフシール部は、ルーフウエザストリップの中央部では、ドアガラスシール部に一体的に形成される中空状の可動ルーフシール部基部と可動ルーフシール部基部から延設され可動ルーフに当接される２本の可動ルーフシールリップを有している。このため、押出成形で成形されるルーフウエザストリップの中央部では、ドアガラスシール部に一体的に形成される中空状の可動ルーフシール部基部が、２本の可動ルーフシールリップを保持することができ、可動ルーフシールリップを可動ルーフシール部基部から可動ルーフの内面に向けて延設することができる。
また、可動ルーフシールリップを２本設けたため、可動ルーフとの間で２重シールを行うことができ、確実にシールすることができる。
【００２０】
可動ルーフシールリップは、ルーフウエザストリップの端部において先端が連結された中空状の可動ルーフシール部とされている。このため、ルーフウエザストリップの中央部は２重シールができるとともに、長手方向の両側の端部は、中空状となり、剛性が高くなり、隣のルーフウエザストリップの可動ルーフシール部の端部と当接したときに、変形せず、当接部分が連続したシールを達成することができる。
【００２１】
ルーフウエザストリップの両方の端部は、ドアガラスシール部の中空部と可動ルーフシール部の中空部が膜により塞がれたドアガラスシール部端面と可動ルーフシール部端面を有するため、ルーフウエザストリップの両方の端部から中空部内へ大量の、雨水や埃、騒音等の侵入を防止することができる。また、中空部の端面を塞ぐため、中空部の端面の剛性を高くすることができ、ルーフウエザストリップの端部が相互に当接する時の形状を安定にすることができる。
【００２２】
請求項５の本発明は、ルーフウエザストリップの両方の端部の取付基部は、インサートが埋設され、インサートの孔と幌骨の取付孔をクリップの脚部が嵌挿してルーフウエザストリップ端部が幌骨に取付けられるコンバーチブルカー用のルーフウエザストリップである。
【００２３】
請求項５の本発明では、ルーフウエザストリップの両方の端部の取付基部は、インサートが埋設されるため、埋設部分の取付基部の剛性が高くなり、形状が安定して、インサートの孔と幌骨の取付孔をクリップの脚部が嵌挿してルーフウエザストリップ端部が幌骨に取付けられるときに、クリップの頭部がインサート埋設部分を押して、取付基部を幌骨に密着させることができ、ルーフウエザストリップ端部を広い面積で押して、確実に固定することができる。
【発明の効果】
【００２４】
本発明は、コンバーチブルカーの可動ルーフの幌骨の側端に取付けられる、分割されたルーフウエザストリップに関し、可動ルーフが展開して車体の天井を形成したときに、それぞれのドアガラスシール部端面における中空の最下方位置に水抜き孔を設けたため、ルーフウエザストリップの端部が互いに接合して一連のルーフウエザストリップを形成したときにできる接合部分の空間から、雨水や洗車水等を車両下方に排出することができる。
水抜き孔は、中空部とともに、ルーフウエザストリップ前端から後端まで連続する一連の排水路を形成するため、ルーフウエザストリップの端部が互いに接合してできるそれぞれの接合部分の空間から排出された雨水や洗車水等を、ルーフウエザストリップ前端から後端まで連続する一連の排水路を通り、ルーフウエザストリップ前端または後端まで導き、車外（車両下方）に排出することができる。
【発明を実施するための最良の形態】
【００２５】
本発明の実施の形態を図１〜図５に基づき説明する。図５は、コンバーチブルカーの外観を示す模式的な斜視図である。可動ルーフ１０は、開いたときは、車体の天井部分を覆い、フロント側の先端（前端）は、フロントガラス４の上端に設けられたフロントガラスルーフウエザストリップ５に当接している。フロントガラスルーフウエザストリップ５は、フロントガラス４の上端からフロントピラーに沿って下方に、フロントガラス４の両側端を覆うように延設されている。
【００２６】
可動ルーフ１０の車体側部に沿った両方の側部は、可動ルーフ１０とドアガラス３との間をシールするルーフウエザストリップ２０が設けられている。このルーフウエザストリップ２０は、後述するように、可動ルーフ１０が折畳まれて、車体の後部に収納されることが可能となるように、可動ルーフ１０の折畳みに対応して、長手方向に複数に分割されている。
可動ルーフ１０は、ルーフ本体をなす柔軟性を持ち、折り畳み可能なルーフ幌１３と、ルーフ幌１３を支えるため、ルーフ幌１３の両側端等に延びる幌骨１６（金属フレーム）から形成される。
【００２７】
分割されたそれぞれのルーフウエザストリップ２０は、押出成形で形成されたルーフウエザストリップ中央部３４と、そのルーフウエザストリップ中央部３４の長手方向の両側の端に型成形により形成されるルーフウエザストリップ端部３１からなる。
可動ルーフ１０がその収容された車体後部から展開して、車体の天井部を完全に形成すると、分割されたそれぞれのルーフウエザストリップ２０の長手方向の端部３１は、後述するように、互いに接合して、可動ルーフ１０の側部に沿って１本の連続したルーフウエザストリップ２０になる。
【００２８】
可動ルーフ１０が収納されるときは、リンク機構及び駆動機構（図示せず）により、ルーフ幌１３は折畳まれて後方に移動して、車体の後部に設けられたスペースに収納され、幌骨１６もルーフ幌１３に対応して折畳まれて、同様に車体後部のスペースに収納される。幌骨１６が折畳まれるときに、ルーフウエザストリップ２０もそれに対応して折畳まれて、幌骨１６と共に収納される。
可動ルーフ１０が展開して天井を形成するときは、逆に幌骨１６が、フロントガラスの上部側に向かって延びて、ルーフ幌１３が同様にフロントガラスの上部側に向かって延びる。
【００２９】
次にルーフウエザストリップ端部３１の詳細について説明する。図１は、ルーフウエザストリップ２０の長手方向の両側のルーフウエザストリップ端部３１付近の部分斜視図である。図２は、ルーフウエザストリップ端部３１の正面図と、ルーフウエザストリップ中央部３４の断面図である。図３は、ルーフウエザストリップ端部３１の接合部分の長手方向の断面図である。図４は、図２のＢ−Ｂ線に沿った断面図である。
【００３０】
図２においてルーフウエザストリップ端部３１は、押出成形により形成されたルーフウエザストリップ中央部３４の長手方向の両端（図２では一端を示す）に、型成形により一体的に成形されている。ルーフウエザストリップ中央部３４においては、後述するように、ドアガラスシール部２４の側部に一体に中空状の可動ルーフシール部基部２６が設けられ、可動ルーフシール部基部２６から第１可動ルーフシールリップ２７と第２可動ルーフシールリップ２８が上下２本設けられている。また、ルーフウエザストリップ端部３１では２本のシールリップ２７、２８は、徐々に合体して、中空状の可動ルーフシール部２５を形成する。
【００３１】
図１に示すように、ルーフウエザストリップ端部３１の端面においては、ドアガラスシール部２４の中空部と可動ルーフシール部２５の中空部はともに、膜が形成されて塞がれて、ドアガラスシール部端面３３と可動ルーフシール部端面３２を形成する。このため、ルーフウエザストリップ端部３１の端面から中空状のドアガラスシール部２４と可動ルーフシール部２５の中央部へ大量の雨水、埃や騒音等が侵入することを防止できる。
【００３２】
ガラスシール部端面３３の一方の周囲には、ガラスシール部端面外周凸条３５が設けられ、他方のガラスシール部端面３３の周囲にはガラスシール部端面内周凸条３６が設けられている。ガラスシール部端面外周凸条３５は、取付基部２１に該当する部分を除き、ガラスシール部端面３３の外周に沿って略全周に亘り設けられている。ガラスシール部端面内周凸条３６は、ガラスシール部端面３３の外周に沿って、ガラスシール部端面外周凸条３５が当接する部分よりも少し内側の部分に、取付基部２１に該当する部分を除き、略全周に亘り設けられている。
【００３３】
このため、可動ルーフ１０が展開してルーフウエザストリップ端部３１同士が当接したときに、図３に示すように、ガラスシール部端面３３のガラスシール部端面外周凸条３５とガラスシール部端面内周凸条３６は、互いに嵌め込まれて接合する。そして、ルーフウエザストリップ端部３１のガラスシール部端面３３同士が向かい合った面によりルーフウエザストリップ端部空間３９ができる。このようにそれぞれのルーフウエザストリップ端部３１のガラスシール部端面３３が互いに嵌め込まれて接合するため、接合部のシールを行うことができる。
【００３４】
しかしながら、洗車や雨水で、ガラスシール部端面３３同士が向かい合った面のルーフウエザストリップ端部空間３９に水が溜まる場合がある。そのため、ガラスシール部端面３３に水抜き孔３８を設ける。この水抜き孔３８は、図３に示すように、可動ルーフ１０が展開されて、ルーフウエザストリップ２０が連続した１本のウエザストリップとなったときに、ルーフウエザストリップ端部３１のガラスシール部端面３３におけるルーフウエザストリップ２０の装着状態でのドアガラスシール部２４の中空部の最下方に位置する部分に設けられる。
【００３５】
この水抜き孔３８と中空状のドアガラスシール部２４により、ルーフウエザストリップ２０の前端から後端まで連続する一連の排水路を形成することができ、ルーフウエザストリップ端部空間３９に溜まった水は、隣の分割されたルーフウエザストリップ２０のドアガラスシール部２４の中空部を経由して、次々に流出して、フロント側またはリヤ側のルーフウエザストリップ２０の最先端部から車外（車両下方）に排出することができる。また、後述する、クリップ４０の取付け孔や空気抜き孔等からドアガラスシール部２４の中空部に流入する水等も、水抜き孔３８と中空状のドアガラスシール部２４により、車外に排出することができる。
【００３６】
図３は、ルーフウエザストリップ２０のルーフウエザストリップ端部３１が相互に接合した状態の断面図である。ルーフウエザストリップ端部３１は、型成形により形成され、予め押出成形により成形されたルーフウエザストリップ中央部３４と、型成形時に一体的に加硫または加熱接合される。ルーフウエザストリップ端部３１の取付基部２１には、金属製または硬質合成樹脂製のインサート３７が埋設されている。インサート３７にはクリップ４０の脚部４１を挿入するクリップ取付け孔が設けられ、クリップ４０によりルーフウエザストリップ端部３１を幌骨１６に取付けることができる。
【００３７】
ルーフウエザストリップ２０の両方の端部３１の取付基部２１は、インサート３７が埋設されるため、埋設部分の取付基部２１の剛性が高くなり、形状が安定して、ルーフウエザストリップ端部３１が相互に接合するときに確実に接合させることができる。インサート３７のクリップ取付け孔をクリップ４０の脚部４１が嵌挿してルーフウエザストリップ端部３１が幌骨１６に取付けられるときに、クリップ４０の頭部がインサートの埋設された部分の取付基部２１を押して、幌骨１６に密着させることができ、ルーフウエザストリップ端部３１を確実に幌骨１６固定することができる。
【００３８】
図４は、図２のＢ−Ｂ線に沿った断面図であり、ルーフウエザストリップ端部３１のクリップ３７の取付部分の幅方向の断面図である。
図４において、ルーフウエザストリップ端部３１の形状、取付状態と、ドアガラス３や可動ルーフ１０との間にシール状態を説明する。
ルーフウエザストリップ端部３１は、取付基部２１、ドアガラスシール部２４、可動ルーフシール部２５とカバーリップ３０とからなる。取付基部２１には、クリップ４０が取付けられており、そのクリップ４０の脚部４１を幌骨１６の取付孔に挿入して、ルーフウエザストリップ端部３１を取付ける。リテーナー１４は、取付基部２１の底面の側端に設けられた取付基部凹部２２に先端の一方が挿入され、その断面Ｕ字形の溝で取付基部２１の両側を保持して、一層強固に取付基部２１を保持する。
【００３９】
取付基部２１から一体的に中空状のドアガラスシール部２４が形成されている。ドアガラス３が上昇して、閉まると、ドアガラス３の上端は中空状のドアガラスシール部２４に当接して、ドアガラスシール部２４に包まれるようになり、ドアガラス３とルーフウエザストリップ２０との間から雨水、埃等が侵入することを防止できる。
ドアガラスシール部２４の車室内側には、カバーリップ３０が一体的に設けられ、幌骨１６に取付けられた可動ルーフガーニシュ１５とともに、幌骨１６の部分を覆い、美観を向上させている。
【００４０】
ドアガラスシール部２４の上方の可動ルーフ１０に面する側には、可動ルーフシール部２５が一体的に設けられている。可動ルーフシール部２５は、ルーフウエザストリップ端部３１では、断面が略楕円形の中空状である。この可動ルーフシール部２５が可動ルーフ１０に当接して、可動ルーフ１０とルーフウエザストリップ２０との間をシールすることができる。断面略楕円形の中空状であるため、可動ルーフシール部２５の全体として断面略楕円形の中空状となり、楕円形の先端で可動ルーフ１０の可動ルーフ側端１１の内面に当接してシールすることができる。そして、断面略楕円形のため、可動ルーフシール部２５が変形し難くなる。また、ルーフウエザストリップ２０の端部３１の可動ルーフシール部２５を成形する金型の中子を１つにすることができ、製造が容易である。中空状の可動ルーフシール部２５の一部に、型成形時に金型の中子を取り出すスリット３５が設けられている。
このようにして、ルーフウエザストリップ２０により可動ルーフ１０とドアガラス３の間をシールすることができる。
【００４１】
ルーフウエザストリップ中央部３４の形状を図２に基づき説明する。ルーフウエザストリップ中央部３４は、取付基部２１、ドアガラスシール部２４、可動ルーフシール部２５とカバーリップ３０とからなる。
取付基部２１は、図４に示したルーフウエザストリップ端部３１と同様に、底面に取付基部凹部２２が形成され、取付基部凹部２２に幌骨１６に取付けられたリテーナー１４が嵌め込まれて、取付基部２１を保持する。取付基部２１の内部には車室内側側壁に沿って取付基部２１に連結されるブリッジが設けられ、ブリッジと車室内側側壁との間に中空部２３が設けられて、車室内側側壁を補強するとともに、重量を軽減させている。
【００４２】
取付基部２１の側方のからリテーナー１４をカバーする面には、カバーリップ３０が一体的に設けられ、幌骨１６に取付けられた可動ルーフガーニシュ１５とともに、幌骨１６を覆い、美観を向上させている。
取付基部２１から一体的に中空状のドアガラスシール部２４が形成されている。ドアガラス３が上昇して、閉まると、ドアガラス３の上端は中空状のドアガラスシール部２４に当接して、ドアガラスシール部２４に包まれるようになり、ドアガラス３とルーフウエザストリップ２０との間から雨水、埃等が侵入することを防止できる。
【００４３】
ドアガラスシール部２４の上方の可動ルーフ１０に面する側には、可動ルーフシール部２５が一体的に設けられている。可動ルーフシール部２５は、ルーフウエザストリップ中央部３４では、断面が略四角形で中空状の可動ルーフシール部基部２６と、その可動ルーフシール部基部２６から可動ルーフ１０方向に延びる第１可動ルーフシールリップ２７と第２可動ルーフシールリップ２８で形成されている。この第１可動ルーフシールリップ２７と第２可動ルーフシールリップ２８が可動ルーフ１０の側端の内面に当接して、可動ルーフ１０とルーフウエザストリップ２０との間をシールすることができる。この２本のルーフシールリップ２７、２８は、可動ルーフ１０の側端に２重に当接して２重にシールすることができ、確実にシールすることができる。
このようにして、ルーフウエザストリップ２０により可動ルーフ１０とドアガラス３の間をシールすることができる。
【００４４】
このルーフウエザストリップ２０は、押出成形により成形されるルーフウエザストリップ中央部３４も、型成形により成形されるルーフウエザストリップ端部３１も、ゴム、熱可塑性エラストマー、軟質合成樹脂等で形成することができる。ゴムの場合は、ＥＰＤＭ、熱可塑性エラストマーの場合は、オレフィン系熱可塑性エラストマーが耐候性、リサイクル、コスト等の点から好ましい。
いずれの場合も、ソリッド材及びスポンジ材で形成することができるが、少なくともドアガラスシール部２４と可動ルーフシール部２５は、スポンジ材で形成することが、柔軟性、弾力性の点から好ましい。
【図面の簡単な説明】
【００４５】
【図１】本発明の実施の形態における、ルーフウエザストリップ端部付近の部分斜視図である。
【図２】本発明の実施の形態における、ルーフウエザストリップ端部付近の正面図と、ルーフウエザストリップ中央部の断面図である。
【図３】本発明の実施の形態における、ルーフウエザストリップ端部が相互に接合した状態における断面図である。
【図４】図２におけるＢ―Ｂ線に沿った断面図である。
【図５】コンバーチブルカーの外観を示す模式的な斜視図である。
【図６】従来技術における、図５のＡ−Ａ線に沿った断面図である。
【図７】従来技術における、ルーフウエザストリップ端部付近の斜視図である。
【符号の説明】
【００４６】
３  ドアガラス
１０  可動ルーフ
１６  幌骨
２０  ルーフウエザストリップ
２４  ドアガラスシール部
２５  可動ルーフシール部
３１  ルーフウエザストリップ端部
３２  可動ルーフシール部端面
３３  ドアガラスシール部端面
３４  ルーフウエザストリップ中央部
３５  ガラスシール部端面外周凸条
３６  ガラスシール部端面内周凸条
３７  インサート
３８  水抜き孔
３９  ルーフウエザストリップ端部空間
【図１】
2005206094.tif 000003
【図２】
2005206094.tif 000004
【図３】
2005206094.tif 000005
【図４】
2005206094.tif 000006
【図５】
2005206094.tif 000007
【図６】
2005206094.tif 000008
【図７】
2005206094.tif 000009